(57)【特許請求の範囲】
【請求項１】
部品を収納するための収納空間を形成するために、前表面と、底部表面と、側壁と、を有する台座と、
前記側壁から前記収納空間に延出しており、かつ前記部品と係合するように配置される少なくとも１つの突出部と、
前記側壁の反対側の前記底部表面に接続される固定接続線と、を備え、
前記固定接続線は、前記部品を前記台座に固定接続させるように、少なくとも一部が前記部品内に収納されるように配置される固定接続端を有し、
前記固定接続線は、固定接続位置と未固定接続位置との間を枢動し、前記固定接続位置にあるとき、前記部品が前記台座に固定接続される一方、前記未固定接続位置にあるとき、前記部品が前記台座から取り外し可能であり、
前記固定接続線は、取っ手の部分を有し、前記未固定接続位置にあるとき、前記取っ手の部分が前記底部表面の下方から延設される一方、前記固定接続位置にあるとき、前記取っ手の部分が前記底部表面に平行であることを特徴とする、部品トレー。
【請求項２】
前記台座は、支持台を含み、前記支持台で前記固定接続線を前記底部表面に接続させ、
前記支持台は、前記底部表面に相対して摺動可能であることを特徴とする、請求項１に記載の部品トレー。
【請求項３】
前記固定接続線は、前記固定接続位置と前記未固定接続位置との間を約９０度枢動することを特徴とする、請求項１に記載の部品トレー。
【請求項４】
前記固定接続端は、実質的にＬ字状であり、かつ前記未固定接続位置にあるとき、前記固定接続端が前記部品内に垂直に収納されるように配置される一方、前記固定接続位置にあるとき、前記固定接続端が実質的に水平を呈するように枢動されるように配置されることを特徴とする、請求項１に記載の部品トレー。
【請求項５】
前記側壁は、前記底部表面に摺動可能に係合されることを特徴とする、請求項１に記載の部品トレー。
【請求項６】
前記側壁は、前記底部表面に枢動的に係合されることを特徴とする、請求項１に記載の部品トレー。
【請求項７】
前記側壁は、前記前表面に枢動的に係合されることを特徴とする、請求項１に記載の部品トレー。
【請求項８】
前記台座は、前記前表面の反対側及び前記側壁の反対側が開放的であることを特徴とする、請求項１に記載の部品トレー。
【発明の詳細な説明】
【技術分野】
【０００１】
本発明は、部品キャリアに係り、特に、ロープロファイルなハードディスクトレー（ｌｏｗ  ｐｒｏｆｉｌｅ  ｈａｒｄ  ｄｒｉｖｅ  ｔｒａｙ）に関する。
【背景技術】
【０００２】
部品を固定接続するように設計されている部品キャリアに、空間を設置し、かつ部品キャリアにより、部品が部品キャリアから容易に脱着することを防止することができる。部品キャリアは、部品を収納するための収納空間を形成する側壁を有する。
【発明の概要】
【０００３】
部品キャリアは、単一の側壁を有する縮小の輪郭外形を持つと共に、側壁の固定接続線に相対して部品を部品キャリア内に固定接続するように設置が実施される。固定接続線は、部品内に枢動可能に収納されることに従って、部品を部品キャリア内に固定接続する。固定接続線は、少なくとも局部が部品内に収納されるように配置される固定接続端を有し、かつ固定接続端は実質的にＬ字状であってもよい。固定接続線は、固定接続位置と未固定接続位置との間を約９０度枢動することができる。固定接続線上に設置される取っ手を、部品キャリアにおいて固定接続位置と未固定接続位置との間で切り替えるときには、協働作用を有する。固定接続位置にあるとき、取っ手は実質的に部品キャリアの底部表面に揃えられ、かつ未固定接続位置にあるとき、取っ手は部品キャリアの底部表面から延出する。
【０００４】
部品キャリアは、部品キャリアに相対して変位可能な側壁を有することもできるので、さらに部品を部品キャリア内に収納して固定接続するように協働することができる。
【０００５】
部品キャリアは、固定接続線と底部表面とを接続する支持台を含んでもよい。部品キャリアを固定接続形態と未固定接続形態との間で切り替えるとき、支持台は、底部表面に相対して摺動することができる。
【図面の簡単な説明】
【０００６】
【図１】例示的実施形態に係る部品キャリア及び部品が未固定接続位置に収納された状態の分解図（ｅｘｐｌｏｄｅｄ  ｖｉｅｗ）である。
【図２】例示的実施形態に係る部品キャリア及び部品が未固定接続位置に収納された状態の等角底面図（ｉｓｏｍｅｔｒｉｃ  ｂｏｔｔｏｍ  ｖｉｅｗ）である。
【図３】例示的実施形態に係る部品キャリア及び部品が固定接続位置に収納された状態の等角底面図である。
【図４】部品キャリアが部分的な固定接続位置に位置した状態の等角底面図である。
【図５】図４の固定接続端の部分的詳細図である。
【図６】部品キャリアが固定接続位置に位置した状態の等角底面図である。
【図７】図６の固定接続端の部分的詳細図である。
【図８】第２実施形態に係る部品を収納する部品キャリアの等角図である。
【図９】第２実施形態に係る部品キャリア及び未固定接続位置に収納された部品の等角図である。
【図１０】第２実施形態に係る部品キャリア及び固定接続位置に収納された部品の等角図である。
【発明を実施するための形態】
【０００７】
本発明に基づく種々の実施形態について、図面を参照して説明する。
【０００８】
説明の単純さ及び明瞭さのために、適当な場合において、異なる図面で繰り返される参照符号は、対応または類似する要素を示すものであると理解されるであろう。さらに、多くの具体的詳細な記述は、本文に述べる実施形態を十分に理解するためになされたものである。しかしながら、当業者であれば、本文に述べる実施形態はこれらの具体的詳細なしでも実施できることを理解されるであろう。記述されている関連する技術的特徴が不明瞭にならないために、他の場合において、方法、手順及び部品は詳細には記述されていない。これらの図面は、必ずしも一定の縮尺比で描かれているとは限らず、かつ詳細及び特徴を説明するために、いくつかの部分の縮尺比を拡大する場合がある。本明細書は、本文に述べる実施形態の範囲に限定されるものと見なすべきではない。
【０００９】
本発明全体を通して用いられるいくつかの定義について、ここに示す。
【００１０】
技術用語「接続（ｃｏｕｐｌｅｄ）」は、直接的または介装部品を経由して間接的に連結したものと定義され、かつ物理的な連結に限定される必要はない。連結は、物体を恒久的に連結または脱着自在に連結したことを意味してもよい。用語「実質的に」は、部品を正確に形成する必要はなく、基本的に特定の寸法、形状または他の実質的に修飾した単語に合致していると定義される。例を挙げて言えば、「実質的な円柱形」とは、円柱に類似することを指すが、真の円柱から１つまたは複数の差異が許容される。用語「含む」とは、「含むが、限定される必要はない」ことを指し、具体的に言えば、そのように記述されている組み合わせ、グループ、系列などのオープンエンド形式の含むことまたは部品関係を指す。
【００１１】
本発明は、部品キャリアに係り、それは１個または複数個の部品を収納して固定接続するように配置され、さらに具体的に言えば、ハードディスクトレーを指し、それは１個または複数個のハードディスクを収納及び固定接続するように配置される。ハードディスクトレーは、ハードディスクを収納するための収納空間を形成するために、前表面と、底部表面と、側壁と、を有する台座を備える。少なくとも１つの突出部は、側壁から収納空間に延出しており、かつハードディスクと係合するように配置される。固定接続線は、ハードディスクトレーの底部表面に接続され、かつ側壁の反対側に位置する。固定接続線は、少なくとも一部がハードディスク内に収納されるように配置される固定接続端を有する。ハードディスクトレーは、未固定接続位置と固定接続位置との間で切り替えることができる。未固定接続位置にあるとき、ハードディスクを台座から脱着（ｄｅｃｏｕｐｌｅｄ）すると共に、ハードディスクトレーから取り外すことができる。固定接続位置にあるとき、ハードディスクは、固定接続線により台座に固定接続されるため、ハードディスクトレーから取り外すことができない。具体的実施形態では、１個または複数個のハードディスクを収納するように配置されるハードディスクトレーを図示したけれども、他の部品を収納及び固定接続することも本発明の範囲内である。他の部品は、ソリッドステートドライブ（ｓｏｌｉｄ  ｓｔａｔｅ  ｄｒｉｖｅｓ）、光学ドライブ（ｏｐｔｉｃａｌ  ｄｒｉｖｅｓ）、電源供給装置（ｐｏｗｅｒ  ｓｕｐｐｌｉｅｓ）、ファンや他の任意の電子装置の部品を含むが、これらに限定されない。
【００１２】
（第１実施形態）
図１に図示するハードディスクトレー１００は、台座１０２を備え、台座１０２は、収納空間１１０を形成するための前表面１０４と、底部表面１０６と、側壁１０８と、を有する。収納空間１１０は、例えば、ハードディスク２００のような１個または複数個の部品を収納するように配置される。ハードディスク２００は、実質的な垂直方向に沿って、収納空間１１０に収納されてもよく、または収納空間１１０から取り外してもよい。他の実施形態において、ハードディスク２００は、異なる方向においても収納空間１１０に収納されてもよく、または収納空間１１０から取り外してもよく、それは前表面１０４、底部表面１０６及び側壁１０８の配置によって決定される。
【００１３】
前表面１０４は、ハードディスク２００のインターフェース、ユーザインターフェース（ｕｓｅｒ  ｉｎｔｅｒｆａｃｅｓ）及び電源供給装置と係合するための電気的連結を有してもよい。底部表面１０６は、ハードディスク２００を収納して支持することができる。少なくとも１つの実施形態において、底部表面１０６は、台座１０２を取り付けるため、または台座１０２の内部に気流を提供してハードディスク２００を冷却するために、その中に形成された複数個の孔部を有してもよい。側壁１０８は、収納空間１１０内に延出している少なくとも１つの突出部１１２を有してもよい。収納空間１１０に置くとき、突出部１１２は、ハードディスク２００の対応する側壁２０４上に形成された孔部２０２と係合するように配置される。突出部１１２は、収納空間１１０にハードディスク２００が位置合せされるように、補助することもできる。
【００１４】
ハードディスクトレー１００は、底部表面１０６上に設置され、側壁１０８の反対側に位置する固定接続線１１４も備える。固定接続線１１４は、底部表面１０６を延伸通過して収納空間１１０に入り込む固定接続端１１６を有する。固定接続端１１６は、少なくとも一部がハードディスク２００の底部表面２０８上に形成された孔部２０６に収納されるように配置される。固定接続線１１４は、未固定接続位置と固定接続位置との間に枢動可能である。未固定接続位置にあるとき、固定接続端１１６は、収納空間１１０に垂直に延出していると共に、ハードディスク２００の底部表面２０８に形成された孔部２０６と位置合せされるように配置される。未固定接続位置にあるとき、ハードディスク２００は、ハードディスクトレー１００により収納されるのみならず、ハードディスクトレー１００から取り外すこともできる。固定接続位置にあるとき、図３に示すように、固定接続端１１６は、固定接続端１１６が孔部２０６から外れることを回避するために、ハードディスク２００の底部表面２０８上に形成された孔部２０６と合わないように、位置ずれしている。固定接続端１１６は、孔部２０６内に入り込むために、異なる形状を有してもよいと共に、固定接続線１１４を切り替えるとき、固定接続端１１６の種々の形状は、孔部２０６から外れることを回避することができる。このため、ハードディスク２００は、台座１０２上に固定接続され、かつハードディスクトレー１００から取り外すことができない。例示的実施形態において、固定接続端１１６は実質的にＬ字状（Ｌ−ｓｈａｐｅｄ）であり、それについて図４〜図５を参照して説明する。他の実施形態において、固定接続端１１６は、螺旋形状（ｓｐｉｒａｌ  ｓｈａｐｅ）、Ｖ字形状または任意の他の異なる形状であってもよく、固定接続端１１６を孔部２０６内に挿入させると共に、切り替え時、固定接続端１１６が孔部２０６から外れることを回避することができる。
【００１５】
支持台１１８は、固定接続線１１４と台座１０２の底部表面１０６との間に設置される。支持台１１８は、底部表面１０６に相対して摺動することができ、固定接続端１１６とハードディスク２００の底部表面２０８上に形成された孔部２０６との間に、付加的な係合を提供することができる。
【００１６】
固定接続線１１４は、その上に形成された取っ手１２０を有してもよい。未固定接続位置にあるとき、取っ手１２０は、底部表面１０６の下方に向けて延在し、かつ固定接続位置にあるとき、取っ手１２０は、底部表面１０６に平行になる。固定接続線１１４及びハードディスクトレー１００を固定接続位置と未固定接続位置との間で切り替えるとき、取っ手１２０は、補助作用を有してもよい。図１から分かるように、取っ手１２０は、固定接続線１１４の実質的なＵ字形状の部分であってもよい。他の実施形態において、取っ手１２０は、固定接続線１１４を固定接続位置と未固定接続位置との間で切り替えるように協働するために、実質的にＶ字形状または任意の他の形状であってもよい。
【００１７】
図２には、ハードディスクトレー１００の底部表面１０６を図示し、固定接続線１１４と支持台１１８とが未固定接続位置にある状態が示されている。２個の係止具１２２により、支持台１１８は、底部表面１０６に摺動可能に接続される。２個の係止具１２２は、支持台１１８上に形成されたグルーブ１２４内に収納され、ハードディスクトレー１００を未固定接続位置と固定接続位置との間で切り替えるとき、支持台１１８を摺動させる。図２から分かるように、未固定接続位置にあるとき、取っ手１２０は、実質的に底部表面１０６に垂直すると共に、底部表面１０６から延出する。側壁１０８に向けて取っ手１２０が底部表面１０６に実質的に揃えられるように枢動されることで、取っ手１２０を未固定接続位置から固定接続位置で切り替えることができる。
【００１８】
図３には、ハードディスクトレー１００の底部表面１０６を図示し、図中では固定接続線１１４と支持台１１８とが固定接続位置にある状態が示されている。固定接続位置には、ハードディスク２００をハードディスクトレー１００の台座１０２から取り外すことを回避することができる。取っ手１２０は、実質的に台座１０２の底部表面１０６に揃えられるようになっており、ハードディスクトレー１００をサーバーまたは他の電子装置内に挿入される。支持台１１８は、側壁１０８の方向に向けて摺動変位することができるため、さらにハードディスク２００と台座１０２と係合することができる。
【００１９】
図４及び図５には、ハードディスクトレー１００が局部的な固定接続位置にある状態が示されている。図４及び図５から分かるように、固定接続端１１６は、実質的にＬ字状であってよいと共に、未固定接続位置にあるとき、ハードディスク２００の底部表面２０８上に形成された孔部２０６内に垂直に収納されるように配置される。図５からさらに分かるように、固定接続線１１４の固定接続端１１６を収納するために、孔部２０６は、実質的に対応するＬ字状である。孔部２０６は、可塑性であるため、固定接続端１１６を孔部２０６内に収納することができると共に、孔部２０６内で切り替えることができ、かつ依然として固定接続されたハードディスク２００を台座１０２内に提供することができる。固定接続線１１４を未固定接続位置から局部的な固定接続位置に回転させると、支持台１１８に変位が生じる。少なくとも１つの実施形態において、支持台１１８は約２ｍｍ（ｍｉｌｌｉｍｅｔｅｒｓ）変位する。
【００２０】
図６〜図７には、ハードディスクトレー１００が固定接続位置にある状態を図示する。図６〜図７から分かるように、実質的にハードディスク２００の底部表面２０８上に形成された孔部２０６の入口に垂直になるように、固定接続端１１６を枢動させる。固定接続端１１６の枢動により、ハードディスク２００をハードディスクトレー１００の台座１０２内に固定接続させる。少なくとも１つの実施形態において、未固定接続位置から固定接続位置までに支持台１１８は約４ｍｍ変位することができる。他の実施形態において、支持台１１８の変位がより多くなったり、より少なくなったりするのは、ハードディスク２００及び固定接続線１１４とハードディスクトレー１００の配置によって決定される。図６からさらに分かるように、固定接続位置にあるとき、取っ手１２０は平行になるように、かつ実質的に台座１０２の底部表面１０６に揃えられるようになっている。
【００２１】
（第２実施形態）
図８には、ハードディスクトレー１００の第２例示的実施形態を図示し、ハードディスクトレー１００は、ハードディスク２００を収納する摺動側壁１０８を有する。側壁１０８は、未固定接続位置と固定接続位置との間で切り替えることができる。未固定接続位置にあるとき、側壁１０８は、固定接続線１１４から偏離することに従って、収納空間１１０を拡張すると共に、ハードディスク２００が収納空間１１０に入り込むことを受け入れることができる。側壁１０８は、その上に形成された１個または複数個の突出部１１２を有し、かつ収納空間１１０に向けて延在する。固定接続位置にあるとき、側壁１０８は、固定接続線１１４に向けて方向変位すると共に、突出部１１２をハードディスク２００の側壁２０４上に形成された孔部２０２と係合することができる。
【００２２】
固定接続線１１４は、底部表面１０６に相対して固定することができ、かつ固定接続端１１６を係合してハードディスク２００が収納空間１１０に入り込むように枢動させることにより、ハードディスク２００を収納空間１１０内に収納することができる。固定接続端１１６は、実質的にＬ字状であってもよく、かつハードディスク２００の底部表面２０８上に形成された孔部２０６内に水平に収納される。それから、ハードディスク２００は、台座１０２の底部表面１０６に向けて枢動されることで、固定接続端１１６をハードディスク２００と係合することができる。
【００２３】
ハードディスク２００は、台座１０２に固定接続されることで、横方向移動を回避できる。側壁１０８を摺動してハードディスク２００と係合させ、これにより、突出部１１２は、ハードディスク２００の側壁２０４上の対応する孔部２０２内に収納される。側壁１０８のハードディスク２００に対する変位及び突出部１１２の孔部２０２における係合により、ハードディスク２００の垂直移動を回避できる。ハードディスク２００は、固定接続位置にあるとき、台座１０２から取り外すことができない。
【００２４】
他の実施形態において、側壁１０８は、前表面１０４及び／又は底部表面１０６に枢動接続される。
【００２５】
図１〜図７のハードディスクトレー１００を用いて第１実施形態を説明し、また、図８〜図１０のハードディスクトレー１００を用いて第２実施形態を説明してきたが、各別の固定接続素子を一実施形態に使用しても本発明の範囲に属する。ハードディスクトレー１００は、図１〜図７の枢動固定接続線１１４を使用して図８〜図１０の摺動側壁１０８の組み合わせに適用される。枢動固定接続線１１４と摺動側壁１０８は、ハードディスクトレー１００内に二重の固定接続メカニズムを生じることに従って、さらにハードディスク２００と台座１０２をより一層固定接続することはできる。
【００２６】
図９は、ハードディスクトレー１００が未固定接続位置にある状態を図示し、かつ収納空間１１０内に収納されるハードディスク２００を有する。側壁１０８は、ハードディスク２００の側壁２０４と係合するように、固定接続線１１４に向けて変位することができる。側壁１０８を固定接続線１１４に押し付けることで、側壁１０８を底部表面１０６に相対して変位することに従って、収納空間１１０を縮小すると共に、ハードディスク２００を固定接続する。少なくとも１つの実施形態において、側壁１０８と底部表面１０６を接続し、図２〜図３に示す支持台１１８に類似する。底部表面１０６及び／又は前表面１０４は、ラッチ表面（ｌａｔｃｈｉｎｇ  ｓｕｒｆａｃｅ）を有してもよく、固定接続位置にあるとき、側壁１０８を固定接続し、かつハードディスク２００を台座１０２から不意にリリースすることを回避することができる。
【００２７】
図１０は、ハードディスクトレー１００が固定接続位置にある状態を図示し、かつ収納空間１１０内に固定接続されるハードディスク２００を有する。側壁１０８は、ハードディスク２００に隣接する側壁２０４に移動し、側壁１０８から収納空間１１０に延在している突出部１１２は、ハードディスク２００と係合することによって、ハードディスク２００をハードディスクトレー１００内に固定接続することができる。
【００２８】
これまでに示されている実施形態において、側壁１０８の反対側に設置される固定接続線１１４を図示したが、他の実施形態において、固定接続線１１４は、底部表面１０６の後縁上に設置されてもよい。固定接続線１１４は、後縁に沿って枢動することができ、または、側壁１０８は、ハードディスク２００と係合するように摺動することができる。
【００２９】
例示的実施形態及びその利点は、これまでの説明によって理解されると考えられ、かつ本発明の精神と範囲から逸脱することなく、またはその利点の全てを犠牲にすることなく、種々の変更を加えることが可能であることは明白である。なお、ここでこれまでに説明された実施形態は、本発明の単なる好適な実施形態または例示的実施形態である。
【符号の説明】
【００３０】
１００  ハードディスクトレー
１０２  台座
１０４  前表面
１０６，２０８  底部表面
１０８，２０４  側壁
１１０  収納空間
１１２  突出部
１１４  固定接続線
１１６  固定接続端
１１８  支持台
１２０  取っ手
１２２  係止具
１２４  グルーブ
２００  ハードディスク
２０２，２０６  孔部。
【図１】
0006445609.tif 000002
【図２】
0006445609.tif 000003
【図３】
0006445609.tif 000004
【図４】
0006445609.tif 000005
【図５】
0006445609.tif 000006
【図６】
0006445609.tif 000007
【図７】
0006445609.tif 000008
【図８】
0006445609.tif 000009
【図９】
0006445609.tif 000010
【図１０】
0006445609.tif 000011